(57)【要約】【課題】歯茎のマッサージ及び歯間に残っている食物或いは歯垢を確実に除去でき、クリーニング効果と利便性を効果的に高められる歯間ブラシを提供すること。【解決手段】ホルダー３１、ホルダー３１から延伸する棒部３２、及び棒部３２に設置されたクリーニングセット３３を有し、クリーニングセット３３は、棒部３２の外周面に環状に設置される複数のクリーニング部３３０を有し、各クリーニング部３３０は、ホルダー方向に面する接面３３１、及び、接面３３１からホルダー３１と反対方向へ徐々に径を縮小しながら延伸する周壁３３２を有し、接面３３１の直径は棒部３２の直径より大きく、接面３３１と周壁３３２のつながり位置には尖角部３３３を形成する。【選択図】図２
2019080613.tif 000002
【特許請求の範囲】
【請求項１】
歯間ブラシであって、ホルダー、前記ホルダーから延伸する棒部、及び前記棒部に設置されるクリーニングセットを有し、
前記クリーニングセットは、前記棒部の外周面に環状に設置される複数のクリーニング部を有し、
前記各クリーニング部は、前記ホルダー方向に面する接面、及び、前記接面の外周縁から前記ホルダーと反対方向へ徐々に径を縮小しながら延伸する周壁を有し、
前記接面の直径は前記棒部の直径より大きく、前記接面と前記周壁のつながり位置には尖角部を形成することを特徴とする、歯間ブラシ。
【請求項２】
前記各クリーニング部は、互いに間隔を開けて設置されることを特徴とする、請求項１に記載の歯間ブラシ。
【請求項３】
前記各クリーニング部の周壁は延伸して隣接する別のクリーニング部の接面に連接し、これにより前記各クリーニング部は前記棒部上で直列状に接続されることを特徴とする、請求項１に記載の歯間ブラシ。
【請求項４】
少なくとも２個の前記クリーニング部が相互につながってユニットを形成し、前記各ユニットは、相互に間隔を開けて前記棒部上に設置されることを特徴とする、請求項１に記載の歯間ブラシ。
【請求項５】
前記各クリーニング部の周壁は、長いものと短いものが交互に設置されることを特徴とする、請求項３に記載の歯間ブラシ。
【請求項６】
前記接面は陥没して、前記接面のホルダー側に収容空間を形成したことを特徴とする、請求項１に記載の歯間ブラシ。
【発明の詳細な説明】
【技術分野】
【０００１】
本発明は、歯茎のマッサージ、及び歯間に残っている食物或いは歯垢を取り除くことができる軟質の歯間ブラシに関する。
【背景技術】
【０００２】
口腔内をケアし歯の健康を維持するために、通常は歯ブラシ、ようじ或いはデンタルフロスが用いられる。
しかし、歯ブラシの形状は固定されており、歯の形に完全に対応させるのは難しく、しかも歯間内に進入させることができず、歯間に残る食物を徹底的に排除するのは容易ではない。
そのため、一般的には、ようじ或いはデンタルフロスを補助的に用いてケアを行っている。
ようじは、食物の残滓を取り除くことはできるが、硬いため、歯茎の出血或いは歯表面の欠損を招く。
一方、デンタルフロスは歯間に入ることはできるが、食物残滓の一部を取り除くことができるだけで、徹底的にケアすることはできない。
こうして、歯を徹底的にケアし、口腔内を衛生的に保つため、歯間ブラシが開発された。
【０００３】
図１に示す通り、従来の軟式歯間ブラシ１は、ホルダー１１、ホルダー１１外へと延伸する棒部１２、及び棒部１２から外へと放射状に伸びる複数の軟性ブラシ１３を有する。
しかし、歯間ブラシ１は歯間に進入し歯のケアと歯茎のマッサージを行うことはできるが、歯間中に進入する軟性ブラシ１３と歯茎部位及び歯間表面が接触する表面積は極めて小さいため、歯間ブラシ１の歯茎に対するマッサージの効果が十分でない。
しかも、外力を加える過程において、軟性ブラシ１３は十分な強度で歯垢或いは食物残滓を歯間外へと引き出すことができないため、クリーニング効果が低く、改善が必要である。
【発明の概要】
【発明が解決しようとする課題】
【０００４】
上記したように、従来の歯間ブラシには、歯間中に進入するブラシと歯茎部位及び歯間表面が接触する表面積が極めて小さいため、歯間ブラシの歯茎に対するマッサージの効果が十分でなく、ブラシが十分な強度で歯垢或いは食物残滓を歯間外へと引き出すことができないため、クリーニング効果が低いという欠点がある。
本発明が解決しようとする課題は、歯茎のマッサージ及び歯間に残っている食物或いは歯垢を確実に除去でき、クリーニング効果と利便性を効果的に高められる歯間ブラシを提供することにある。
【課題を解決するための手段】
【０００５】
本発明の歯間ブラシは、ホルダー、前記ホルダーから延伸する棒部、及び前記棒部に設置されるクリーニングセットを有し、前記クリーニングセットは、前記棒部の外周面に環状に設置される複数のクリーニング部を有し、前記各クリーニング部は、前記ホルダー方向に面する接面、及び、前記接面から前記ホルダーと反対方向へ徐々に径を縮小しながら延伸する周壁を有し、前記接面の直径は前記棒部の直径より大きく、前記接面と前記周壁のつながり位置には尖角部を形成する。
【０００６】
前記各クリーニング部は、互いに間隔を開けて設置されることがある。
或いは、前記各クリーニング部の周壁は延伸して隣接する別のクリーニング部の接面に連接し、これにより前記各クリーニング部は前記棒部上で直列状に接続されてもよい。
この場合、前記各クリーニング部の周壁は、長いものと短いものが交互に設置されることがある。
または、少なくとも２個の前記クリーニング部が相互につながってユニットを形成し、前記各ユニットは、相互に間隔を開けて前記棒部上に設置される。
前記接面は陥没して、前記接面のホルダー側に収容空間を形成してもよい。
【発明の効果】
【０００７】
本発明の歯間ブラシは、周壁が徐々に収縮してクリーニング部は錐状を呈するため、棒部、クリーニング部は簡単に歯間に進入し、しかも歯間ブラシを外へと引き出す時、頂面と尖角部とは周壁のサポートにより、より良いサポート力を得て、歯間に残っている食物或いは歯垢を削り取り、歯間外へと持ち出すことができる。
従って、歯間のクリーニング効果を大きく向上させられ、同時にクリーニング部は、棒部を取り囲んで環状に設置されるため、クリーニングセットと歯茎、歯間の接触面積は大きく、食物残滓或いは歯垢を効果的に除去できるだけでなく、クリーニング過程において、歯茎マッサージの効果を達成でき、さらに便利に使用できる。
【図面の簡単な説明】
【０００８】
【図１】従来の歯間ブラシの斜視図である。
【図２】本発明の第一実施例を示す歯間ブラシの斜視図である。
【図３】本発明の第一実施例を示す歯間ブラシの正面図である。
【図４】本発明の第二実施例を示す歯間ブラシの正面図である。
【図５】本発明の第一実施例を示す歯間ブラシの使用状態図である。
【図６】本発明の第三実施例を示す歯間ブラシの正面図である。
【図７】本発明の第四実施例を示す歯間ブラシの正面図である。
【図８】本発明の第五実施例を示す歯間ブラシの断面図である。
【発明を実施するための形態】
【０００９】
以下、本発明の実施例を図面に基づいて詳細に説明する。
図２、図３に示す通り、第一実施例の歯間ブラシ３は、ホルダー３１、ホルダー３１から延伸して末端３２１を形成する棒部３２、及び棒部３２に設置されたクリーニングセット３３を有する。
【００１０】
クリーニングセット３３は、複数のクリーニング部３３０を有する。
各クリーニング部３３０は、棒部３２の外周に環状に設置される。即ち、各クリーニング部３３０は、棒部３２の外周囲を取り囲んで形成される。
各クリーニング部３３０は、接面３３１、及び接面３３１に続いて延伸する周壁３３２を有する。
接面３３１は、棒部３２の中心軸に直交する面であって、ホルダー３１方向に面し、しかも接面３３１の直径は、棒部３２の直径より大きい。
周壁３３２は、接面３３１の外周縁からホルダー３１と反対方向へ徐々に径を縮小しながら延伸する。即ち、周壁３３２は、棒部３２の末端３２１方向へ向かい徐々に収縮する。
【００１１】
また、接面３３１と周壁３３２のつながり位置には、尖角部３３３を形成する。
尖角部３３３は、接面３３１の最も外側の周縁に形成され、これによりクリーニング部３３０全体は、錐状（円錐状など）を成し、棒部３２上に環状に設置される。
従って、クリーニング部３３０は、径の小さい側から歯間に進入して異物を除去し、しかも、歯茎マッサージの効果を達成できる。
さらに、各クリーニング部３３０は、相互に間隔を開けて設置され、各クリーニング部３３０間には、棒部３２が露出（図２参照）される。
【００１２】
或いは、図４に示す第二実施例のように、各クリーニング部３３０は、相互に直列接続して設置される。即ち、クリーニング部３３０の周壁３３２は延伸して、このクリーニング部３３０に隣接する別のクリーニング部３３０の接面３３１に連接する。
なお、クリーニング部３３０は、可撓性或いは弾性を備える材料などの軟性材質を用いて製造され、歯及び歯茎への傷害を回避する。
【００１３】
図５に示す通り、使用時、使用者はホルダー３１を手に持ち、棒部３２を任意の２本の歯Ａの歯間に差し入れる。
周壁３３２は、棒部３２の末端３２１方向へと徐々に収縮し、錐状を成すため、クリーニング部３３０は迅速かつ簡単に歯間に入る。
加えて、クリーニング部３３０は、全体が棒部３２を取り囲んで環状に設置される設計であるため、十分な面積で歯茎に接触でき、歯茎マッサージの効果を達成できる。
【００１４】
使用者がクリーニングセット３３を歯間外へと引き出すと、各クリーニング部３３０の尖角部３３３と接面３３１とは、周壁３３２のサポート作用を受けるため、十分なサポート力を有し、クリーニング作業を行うことができる。
即ち、尖角部３３３は、歯Ａ表面の歯垢及び歯間に残留する食物残滓を効果的に削り取ることができ、しかも削り取った後の歯垢と残滓は接面３３１上に載り、引き出し動作に従い、接面３３１といっしょに外へと引き出され、こうして歯のクリーニング効果及び使用の利便性を効果的に高められる。
【００１５】
図６に示す通り、第三実施例の歯間ブラシ３は、ホルダー３１、ホルダー３１から延伸する棒部３２、及び棒部３２上に設置されるクリーニングセット３３を有する。
ホルダー３１、棒部３２、クリーニングセット３３の細部の構成部材及び目的と効果は、第一実施例と同様であるため、ここでは詳述しない。
クリーニングセット３３は、少なくとも２個のクリーニング部３３０が相互につながり、ユニットを形成する。
各ユニットは、相互に間隔を開けて棒部３２上に設置される。
図に示す例では、各クリーニング部３３０は２個ずつつながって１個のユニットを形成するが、２個よりも多くのクリーニング部３３０がつながっていてもよい。
【００１６】
図７に示す通り、第四実施例の歯間ブラシ３は、ホルダー３１、ホルダー３１から延伸する棒部３２、及び棒部３２に設置されるクリーニングセット３３を有する。
前述の第二実施例と同様、本実施形態のクリーニングセット３３の複数のクリーニング部３３０も、直列接続方式を呈する。
両者の異なる点は、本実施形態中においては、各クリーニング部３３０の周壁３３２の延伸長さは、長いものと短いものが交互に設置される点である。
【００１７】
各クリーニング部３３０が間隔を開けて設置されようと、直列接続であろうと、周壁３３２が長いものと短いものが交互に設置されていようと、すべて歯のクリーニング及び歯茎へのマッサージ効果を備え、口腔内は衛生的に保たれ、最良の状態を達成できる。
【００１８】
図８に示す通り、第五実施例の歯間ブラシ３は、ホルダー３１、棒部３２、クリーニングセット３３を有する。
本実施形態中において、各クリーニング部３３０の接面３３１は、外周縁から棒部３２に向かって次第にホルダー３１から遠ざかるよう陥没し、収容空間３３４を形成する。
即ち、収容空間３３４は、接面３３１のホルダー側に、棒部３２から尖角部３３３までの間の陥没区に形成されるため、クリーニング部３３０を歯間に挿入した後は、収容空間３３４に、歯垢及び食物残滓を収容できる。
これにより、歯垢及び食物残滓をさらに容易に歯間外へと持ち出せるようになり、歯間のクリーニング効果を高めることができる。
【００１９】
上記を総合すると、本発明の歯間ブラシは、各クリーニング部を棒部に環状に設置し、しかもクリーニング部は、直径が棒部直径より大きい接面、接面から棒部末端方向へと徐々に径が小さくなるよう傾斜した周壁、及び接面と周壁のつながり箇所に位置する尖角部を有するため、クリーニング部全体は錐状を形成する。
そのため使用時には、徐々に収縮する形状を呈する周壁は、簡単に歯間中に進入し、しかも歯間ブラシを外へと引き出す時には、周壁のサポート作用を利用し、尖角部と接面は十分なサポート力を備えるため、歯間に残留する食物或いは歯垢を削り取り、しかも除去できる。
加えて、クリーニング部の錐状で環状に設置されているので、歯間ブラシは十分な面積で歯茎に接触し、歯茎マッサージの効果を達成する。
こうして、歯のクリーニングと歯茎マッサージの二重の効果を達成し、使用の利便性を高めることができる。
【００２０】
以上は実施例の説明であって本発明を限定するものではなく、よって、本発明の権利範囲は後述される特許請求の範囲を基準とする。
【符号の説明】
【００２１】
１      歯間ブラシ
１１    ホルダー
１２    棒部
１３    ブラシ
３      歯間ブラシ
３１    ホルダー
３２    棒部
３３    クリーニングセット
３３０  クリーニング部
３３１  接面
３２１  末端
３３２  周壁
３３３  尖角部
３３４  収容空間
【図１】
2019080613.tif 000003
【図２】
2019080613.tif 000004
【図３】
2019080613.tif 000005
【図４】
2019080613.tif 000006
【図５】
2019080613.tif 000007
【図６】
2019080613.tif 000008
【図７】
2019080613.tif 000009
【図８】
2019080613.tif 000010
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
歯間ブラシであって、ホルダー、前記ホルダーから延伸して末端を形成する棒部、及び前記棒部に設置されるクリーニングセットを有し、
前記末端は、前記ホルダーと反対方向に形成され、
前記クリーニングセットは、前記棒部の外周面に環状に設置される複数のクリーニング部を有し、
前記複数のクリーニング部は、それぞれ、前記ホルダー方向に面する接面、及び、前記接面の外周縁から前記末端方向へ徐々に径を縮小しながら延伸する周壁を有し、前記接面と前記周壁のつながり位置には尖角部が形成され、
前記複数のクリーニング部の前記各接面は、前記棒部の外周壁を取り囲んで形成され、前記各接面の直径は、前記各接面が設置される箇所の前記棒部の直径より大きく、かつ、前記末端の方向に向かって徐々に縮小することを特徴とする、歯間ブラシ。
【請求項２】
前記各クリーニング部は、互いに間隔を開けて設置されることを特徴とする、請求項１に記載の歯間ブラシ。  
【請求項３】
前記各クリーニング部の周壁は延伸して隣接する別のクリーニング部の接面に連接し、これにより前記各クリーニング部は前記棒部上で直列状に接続されることを特徴とする、請求項１に記載の歯間ブラシ。  
【請求項４】
少なくとも２個の前記クリーニング部が相互につながってユニットを形成し、前記各ユニットは、相互に間隔を開けて前記棒部上に設置されることを特徴とする、請求項１に記載の歯間ブラシ。
【請求項５】
前記各クリーニング部の周壁は、前記棒部の軸方向に対して、長いものと短いものが交互に設置されることを特徴とする、請求項３に記載の歯間ブラシ。
【請求項６】
前記接面は陥没して、前記接面のホルダー側に収容空間を形成したことを特徴とする、請求項１に記載の歯間ブラシ。
【請求項７】
前記複数のクリーニング部の前記接面は、それぞれ、円形状をなしていることを特徴とする請求項１〜６のいずれか一つに記載の歯間ブラシ。
【請求項８】
前記棒部の径は、前記末端方向に向かって徐々に縮小することを特徴とする請求項１〜７のいずれか一つに記載の歯間ブラシ。
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
歯間ブラシであって、ホルダー、前記ホルダーから延伸して末端を形成する棒部、及び前記棒部に設置されるクリーニングセットを有し、
前記末端は、前記ホルダーと反対方向に形成され、
前記クリーニングセットは、前記棒部の外周面に環状に設置される複数のクリーニング部を有し、
前記複数のクリーニング部は、それぞれ、前記ホルダー方向に面する接面、及び、前記接面の外周縁から前記末端方向へ徐々に径を縮小しながら延伸する周壁を有し、前記接面と前記周壁のつながり位置には尖角部が形成され、
前記複数のクリーニング部の前記各接面は、前記棒部の外周壁を取り囲んで形成され、前記各接面の直径は、前記各接面が設置される箇所の前記棒部の直径より大きく、かつ、前記末端の方向に向かって徐々に縮小することを特徴とする、歯間ブラシ。
【請求項２】
前記各クリーニング部は、互いに間隔を開けて設置されることを特徴とする、請求項１に記載の歯間ブラシ。  
【請求項３】
前記各クリーニング部の周壁は延伸して隣接する別のクリーニング部の接面に連接し、これにより前記各クリーニング部は前記棒部上で直列状に接続されることを特徴とする、請求項１に記載の歯間ブラシ。  
【請求項４】
少なくとも２個の前記クリーニング部が相互につながってユニットを形成し、前記各ユニットは、相互に間隔を開けて前記棒部上に設置されることを特徴とする、請求項１に記載の歯間ブラシ。
【請求項５】
前記各クリーニング部の周壁は、前記棒部の軸方向に対して、長いものと短いものが交互に設置されることを特徴とする、請求項３に記載の歯間ブラシ。
【請求項６】
前記接面は陥没して、前記接面のホルダー側に収容空間を形成したことを特徴とする、請求項１に記載の歯間ブラシ。
【請求項７】
前記複数のクリーニング部の前記接面は、それぞれ、円形状をなしていることを特徴とする請求項１〜６のいずれか一つに記載の歯間ブラシ。
【請求項８】
前記棒部の径は、前記末端方向に向かって徐々に縮小することを特徴とする請求項１〜７のいずれか一つに記載の歯間ブラシ。